(57)【要約】【課題】再生機器の機能、仕様などに応じた適切なデータのみが自動的に再生出力されるようにして、機器としてのより効率的動作が得られるようにする。【解決手段】記憶媒体に記憶されている、ビットレートの異なる複数のデータについて、そのビットレートを検出する。そして、その検出結果に基づいて、記録媒体に記録されている各データについての再生許可／禁止を設定するように構成する。これにより、再生装置の機能、仕様や、これに応じたユーザの視聴目的に応じて、再生出力させるべきでないビットレートのデータについては、再生させないようにし、再生出力すべきビットレートのデータのみを再生出力させるようにするという動作が、自動的に行われることになる。【選択図】　　　　図３
2004014059.tif 000002
【特許請求の範囲】
【請求項１】
異なるビットレートのデータが記憶され得る記憶媒体から読み出されたデータを再生出力する再生出力手段と、
上記記憶媒体に記憶されたデータごとについてのビットレートを検出することのできるビットレート検出手段と、
上記ビットレート検出手段により検出されたデータごとのビットレートに基づいて、上記再生出力手段により再生出力すべきデータを制限する制御手段と、
を備えていることを特徴とする再生装置。
【請求項２】
上記制御手段は、所定のビットレートよりも低いビットレートのデータについての再生出力を制限する、
ことを特徴とする請求項１に記載の再生装置。
【請求項３】
上記制御手段は、所定のビットレートよりも高いビットレートのデータについての再生出力を制限する、
ことを特徴とする請求項１に記載の再生装置。
【請求項４】
上記制御手段が再生出力すべきデータを制限するための判断基準となるビットレートを入力操作に応じて可変設定することのできる設定手段、を備えていることを特徴とする請求項１に記載の再生装置。
【請求項５】
異なるビットレートのデータが記憶され得る記憶媒体から読み出されたデータを再生出力する再生出力手順と、
上記記憶媒体に記憶されたデータごとについてのビットレートを検出することのできるビットレート検出手順と、
上記ビットレート検出手順により検出されたデータごとのビットレートに基づいて、上記再生出力手順により再生出力すべきデータを制限する制御手順と、
を実行するように構成されていることを特徴とする再生方法。
【請求項６】
上記制御手順は、所定のビットレートよりも低いビットレートのデータについての再生出力を制限する、
ことを特徴とする請求項５に記載の再生方法。
【請求項７】
上記制御手順は、所定のビットレートよりも高いビットレートのデータについての再生出力を制限する、
ことを特徴とする請求項５に記載の再生方法。
【請求項８】
上記制御手順が再生出力すべきデータを制限するための判断基準となるビットレートを、入力操作に応じて可変設定する設定手順、
を実行可能とされていることを特徴とする請求項５に記載の再生方法。
【請求項９】
異なるビットレートのデータが記憶され得る記憶媒体から読み出されたデータを再生出力する再生出力処理と、
上記記憶媒体に記憶されたデータごとについてのビットレートを検出することのできるビットレート検出処理と、
上記ビットレート検出処理により検出されたデータごとのビットレートに基づいて、上記再生出力処理により再生出力すべきデータを制限する制御処理と、
を再生装置に実行させるプログラム。
【請求項１０】
上記制御処理は、所定のビットレートよりも低いビットレートのデータについての再生出力を制限するように構成される、
ことを特徴とする請求項９に記載のプログラム。
【請求項１１】
上記制御処理は、所定のビットレートよりも高いビットレートのデータについての再生出力を制限するように構成される、
ことを特徴とする請求項９に記載のプログラム。
【請求項１２】
上記制御手段が再生出力すべきデータを制限するための判断基準となるビットレートを入力操作に応じて可変設定することのできる設定処理、
を再生装置に実行させる請求項９に記載のプログラム。
【請求項１３】
異なるビットレートのデータが記憶され得る記憶媒体から読み出されたデータを再生出力する再生出力処理と、
上記記憶媒体に記憶されたデータごとについてのビットレートを検出することのできるビットレート検出処理と、
上記ビットレート検出処理により検出されたデータごとのビットレートに基づいて、上記再生出力処理により再生出力すべきデータを制限する制御処理と、
を再生装置に実行させるプログラムが記憶されている記憶媒体。
【請求項１４】
上記制御処理は、
所定のビットレートよりも低いビットレートのデータについての再生出力を制限する処理を再生装置に実行させるように構成されている、
ことを特徴とする請求項１３に記載の記憶媒体。
【請求項１５】
上記制御処理は、
所定のビットレートよりも高いビットレートのデータについての再生出力を制限する処理を再生装置に実行させるように構成されている
ことを特徴とする請求項１３に記載の記憶媒体。
【請求項１６】
上記プログラムは、上記制御手段が再生出力すべきデータを制限するための判断基準となるビットレートを入力操作に応じて可変設定することのできる設定処理を含む、
ことを特徴とする請求項１３に記載の記憶媒体。
【発明の詳細な説明】
【０００１】
【発明の属する技術分野】
本発明は、記憶媒体からデータを再生する再生装置、再生方法と、これら再生装置及び再生方法を実現するためのプログラム、さらに、このプログラムが記憶される記憶媒体に関するものである。
【０００２】
【従来の技術】
近年においては、例えば楽曲などのオーディオデータを、所定方式により圧縮した圧縮オーディオデータの形式で各種の記録媒体に記録することが普及している。また、このようにして記録媒体に記録された圧縮オーディオデータについて伸長などの所要の復調処理を施して再生出力する再生機器も普及している。
【０００３】
オーディオデータを圧縮するための音声圧縮規格の１つとしては、ＭＰ３が広く知られている。ＭＰ３とは、ＭＰＥＧ　Ａｕｄｉｏ　Ｌａｙｅｒ　ＩＩＩの略称である。ＭＰ３は、周知のように、人間の聴覚特性を利用して、人間では知覚することが難しいとされる音成分を取り除くようにして圧縮率を高める手法を採っている。このために、例えばＭＤＣＴ（Ｍｏｄｉｆｉｅｄ　Ｄｉｓｃｒｅｔｅ　Ｃｏｓｉｎｅ　Ｔｒａｎｓｆｏｒｍ）、ハフマン符号化、ビットリザーバなどの技術を用いている。
【０００４】
そして、このＭＰ３では、圧縮後のビットレートを選択することが可能とされている。ビットレートとは、１秒間の信号の転送レートをビット数により表すもので、ＭＰ３の規格上では、３２〜３２０Ｋｂｐｓの範囲でビットレートを選択することが可能とされている。
ビットレートを低くすれば、それだけ圧縮率が高められるので、データのサイズは小さくなる。ただし、圧縮率が高くなっていくのに従って圧縮前のオーディオデータが有していた情報量もそれだけ削られていくことになるため、再生出力される音質はビットレートを低くするのに応じて低下していくことになる。
これに対して、ビットレートを高くすれば、圧縮率はその分低くなるので、データサイズは大きくなっていく。しかしながら、圧縮率が低い分、圧縮前のオーディオデータから失われる情報量も少なくなっていくから、再生出力される音質は高くなっていく。
【０００５】
従って、例えば実際に記録媒体にＭＰ３のデータを記録するのにあたっては、目的に応じてビットレートを変更することが行われている。つまり、記録媒体の記録容量を節約して、できるだけ多数のＭＰ３のオーディオデータファイル（以降、ＭＰ３ファイルともいう）を記録したい場合には、ビットレートを低くして記録する。これに対して、再生出力されるべき音質を重視したい場合にはビットレートを高くしたＭＰ３ファイルを記録するものである。
【０００６】
【発明が解決しようとする課題】
上記したことを背景とすると、例えば複数のＭＰ３ファイルを記録した記録媒体としては、異なるビットレートにより圧縮されたＭＰ３ファイルが混在する場合も、当然あり得るということになる。
【０００７】
このような場合においては、例えば次のような不都合が生じてくることが考えられる。
ここで、或るユーザが、記録媒体からＭＰ３ファイルを再生出力可能な再生機器を所有しているとして、これが、例えば据え置き型などの比較的音質重視のタイプのものであったとする。
そして、例えばユーザが、この再生機器により、異なるビットレートによるいくつものＭＰ３ファイルが記録された記録媒体を再生出力して聴こうと思ったとする。
【０００８】
この場合、ユーザは、音質重視タイプの再生機器によりＭＰ３ファイルを再生しようとしている。従って、記録媒体に記録されているＭＰ３のうちから、一定水準以下の音質で再生出力されてしまうような低ビットレートのＭＰ３ファイルが再生されてしまうことは好ましくないということがいえる。
しかしながら、現状においては、例えば特にユーザが、記録媒体に記録されているＭＰ３ファイルのビットレートを認識した上で、例えばプログラム再生などによって再生出力すべきＭＰ３ファイルを選択設定する操作を行わない限りは、ビットレートに関わらず、記録媒体に記録されているＭＰ３の全てが再生出力されてしまうことになる。
【０００９】
このようにして、異なるビットレートによりＭＰ３ファイルが記録されている記録媒体を再生する場合には、再生機器の性能や、この再生機器の性能に応じたユーザの目的などに応じて、所要のビットレートのＭＰ３ファイルのみを選択的に再生出力させることが好ましい場合がある。
しかしながら、現状としては、このような、再生機器に適合した再生出力を行うことができていない。つまり、再生機器に適合した効率的なＭＰ３ファイルの再生が困難であるという問題を有している。
【００１０】
【課題を解決するための手段】
そこで、本発明は上記した課題を考慮して、再生装置として次のように構成することとした。
つまり、異なるビットレートのデータが記憶され得る記憶媒体から読み出されたデータを再生出力する再生出力手段と、記憶媒体に記憶されたデータごとについてのビットレートを検出することのできるビットレート検出手段と、このビットレート検出手段により検出されたデータごとのビットレートに基づいて、上記再生出力手段により再生出力すべきデータを制限する制御手段とを備えることとした。
【００１１】
また、本発明による再生方法としては次のように構成することとした。
つまり、異なるビットレートのデータが記憶され得る記憶媒体から読み出されたデータを再生出力する再生出力手順と、記憶媒体に記憶されたデータごとについてのビットレートを検出することのできるビットレート検出手順と、このビットレート検出手順により検出されたデータごとのビットレートに基づいて、再生出力手順により再生出力すべきデータを制限する制御手順とを実行するように構成することとした。
【００１２】
また、本発明のプログラムとしては次のように構成することとした。
つまり、異なるビットレートのデータが記憶され得る記憶媒体から読み出されたデータを再生出力する再生出力処理と、記憶媒体に記憶されたデータごとについてのビットレートを検出することのできるビットレート検出処理と、このビットレート検出処理により検出されたデータごとのビットレートに基づいて、再生出力処理により再生出力すべきデータを制限する制御処理とを再生装置に実行させるように構成することとした。
【００１３】
さらに、本発明の記憶媒体としては次のように構成する。
つまり、異なるビットレートのデータが記憶され得る記憶媒体から読み出されたデータを再生出力する再生出力処理と、記憶媒体に記憶されたデータごとについてのビットレートを検出することのできるビットレート検出処理と、このビットレート検出処理により検出されたデータごとのビットレートに基づいて、再生出力処理により再生出力すべきデータを制限する制御処理とを再生装置に実行させるプログラムを記憶するものである。
【００１４】
上記各構成によれば、異なるビットレートのデータが記憶される記憶媒体からデータを再生するのにあたり、先ずは、各データについてのビットレートが検出される。そして、検出されたビットレートに基づいて再生出力すべきデータの制限が行われる。
このような構成であれば、記録媒体に記録されているデータのビットレートを検出した結果に基づいて、記録媒体から再生出力すべきデータと、再生出力を制限すべきデータとの振り分けを行うという動作が得られることになる。
【００１５】
また本発明のプログラムは、及び本発明の記録媒体に記憶されたプログラムは、上記した再生装置、再生方法としての動作を実行させるためのプログラムであり、このプログラムにより本発明の再生装置、及び再生方法を実現できるものである。
【００１６】
【発明の実施の形態】
図１は、本発明の第１の実施の形態としての再生装置として、据え置き型ＭＰ３プレイヤ１の構成例を示している。この据え置き型ＭＰ３プレイヤ１は、ＣＤ−ＲＯＭ、ＣＤ−ＲなどのＣＤフォーマットのディスク状記録媒体に記録されたＭＰ３ファイルを再生出力可能な構成を有している。また、ＣＤ−ＤＡ（ＤｉｇｉｔａｌＡｕｄｉｏ）に記録されている、１６ビットサンプリング、サンプリング周波数４４．１ＫＨｚのデジタルオーディオデータについても再生出力可能な構成を採っている。
また、この据え置き型ＭＰ３プレイヤ１は、例えばオーディオコンポーネントシステムなどに組み込まれ、比較的高音質での再生出力が可能なオーディオ機器として構成される。そしてこの場合には、外形形状は図示していないが据え置き型のタイプとされている。
【００１７】
この図１に示す据え置き型ＭＰ３プレイヤ１においては、ストッカー２１が備えられている。このストッカー２１には、例えば数十〜数百枚程度の所定枚数のディスク（ＣＤ−ＲＯＭ、ＣＤ−ＤＡ等）を収納することができるようになっている。
そして、ここでは図示していないが、ストッカー２１に収納されたディスクのうちから選択した１枚のディスクを、当該据え置き型ＭＰ３プレイヤ１の再生可能位置に対して搬送し、また、再生可能位置からストッカー２１側に収納することができるための搬送機構が備えられている。この搬送機構の動作は、例えば、後述するシステムコントローラ２０の制御によって自動的に行わせることが可能となっている。
【００１８】
再生可能位置に装填されたディスク３０は、スピンドルモータ２により回転駆動される。そして、ディスク３０は、スピンドルモータ２によって回転されながら光学ヘッド３によってレーザ光が照射され、その反射光によって情報が読み取られる。
【００１９】
光学ヘッド３はレーザ出力を行うレーザダイオード、偏光ビームスプリッタや対物レンズ等からなる光学系、及び反射光を検出するためのディテクタが搭載されている。対物レンズ３ａは２軸機構４によってディスク半径方向及びディスクに接離する方向に変位可能に保持されている。
また、光学ヘッド３は、スレッド機構５によりディスク半径方向に移動することができるようになっている。
【００２０】
再生動作によって、光学ヘッド３によりディスクから検出された情報はＲＦアンプ７に出力される。ＲＦアンプ７は入力された情報の演算処理により、再生ＲＦ信号、トラッキングエラー信号、フォーカスエラー信号等を抽出する。
抽出された再生ＲＦ信号はＥＦＭデコーダ８に出力される。ＥＦＭデコーダ８では、入力された再生ＲＦ信号についてＥＦＭ復調、エラー訂正を行う。また再生信号に含まれるとされるＰ，Ｑチャンネル等のサブコードデータもここで抽出され、システムコントローラ８に供給される。
【００２１】
また、トラッキングエラー信号、フォーカスエラー信号はサーボ回路６に供給される。サーボ回路６は供給されたトラッキングエラー信号、フォーカスエラー信号や、システムコントローラ２０からのトラックジャンプ指令、アクセス指令、スピンドルモータ２の回転速度検出情報等により各種サーボ駆動信号を発生させ、２軸機構４及びスレッド機構５を制御してフォーカス及びトラッキング制御を行い、またスピンドルモータ２が所要の回転速度で回転するように制御する。
なお、この場合、ＣＤ−ＤＡの再生時においては、ディスク３０としてのＣＤ−ＤＡが標準の１倍速によるＣＬＶで駆動されるように、スピンドルモータ２の回転制御を行うことになる。
これに対して、例えばＭＰ３ファイルが記録されたＣＤ−ＲＯＭ形式のディスクである場合には、必ずしも１倍速ＣＬＶにより回転駆動される必要はなく、例えば所要の倍速度により回転駆動されるようにしたうえで、ディスクからのデータ再生が可能な構成を採るようにして良い。
【００２２】
再生中のディスク３０が、例えばＭＰ３ファイルが記録されたＣＤ−ＲＯＭ、形式である場合には、ＥＦＭデコーダ８の出力はＣＤ−ＲＯＭデコーダ９に対して入力され、ＣＤ−ＲＯＭフォーマットに従ったデコード処理が行なわれる。
そして、ＣＤ−ＲＯＭデコーダ９によってデコードされたデータは、メモリコントローラ１０の制御によって、一時バッファメモリ１１に蓄積された上で、後段のＭＰ３デコーダ１２における処理状況に応じて、適宜読み出しが行われて、ＭＰ３デコーダ１２に対して転送される。
【００２３】
ＭＰ３デコーダ１２ではバッファメモリ１１から転送されてくる、ＭＰ３方式により圧縮されたオーディオデータについてのデコード（伸長）処理を実行し、時系列的に連続したデジタルオーディオデータを得る。そして、このデジタルオーディオデータを、スイッチ部１３の端子ｔ１に対して出力する。
【００２４】
また、再生中のディスク３０がＣＤ−ＤＡの形式である場合には、ＥＦＭデコーダ８によるデコード処理によって得られたデジタルオーディオデータがスイッチ部１３の端子ｔ２に対して出力される。
【００２５】
スイッチ部１３は再生されるディスク（データ）の種別に応じて、システムコントローラ２０の制御によって切り換えられる。
再生されているディスク３０がＣＤ−ＲＯＭ形式であり、再生されたデータがＭＰ３ファイルとしてのオーディオデータである場合には、システムコントローラ２０は、スイッチ部１３の端子ｔ１と端子ｔ３を接続するように制御する。
これにより、端子ｔ３と接続されるＤ／Ａコンバータ１４には、ＭＰ３ファイルのデータをデコードしたデジタルオーディオデータが入力され、例えばＬ／Ｒステレオのアナログオーディオ信号に変換されることになる。
【００２６】
これに対して、再生されているディスク３０がＣＤ−ＤＡの形式である場合には、端子ｔ２と端子ｔ３とが接続されるように制御され、Ｄ／Ａコンバータ１４には、ＥＦＭデコーダ８から出力されたＣＤ−ＤＡフォーマットのデジタルオーディオデータが入力され、Ｌ／Ｒステレオのアナログオーディオ信号に変換されることになる。
【００２７】
Ｄ／Ａコンバータ１４にて得られたアナログオーディオ信号は、オーディオ出力端子１５に対して出力される。このオーディオ出力端子１５は、例えば外部のオーディオアンプなどに入力され、最終的には、スピーカやヘッドフォンなどによりステレオ音声として出力される。
【００２８】
システムコントローラ２０は、当該据え置き型ＭＰ３プレイヤ１の全体の制御を実行するもので、例えばＣＰＵなどにより構成され、図示するようにして、ＲＯＭ１８及びＲＡＭ１９を備えている。
ＲＯＭ１８には、システムコントローラ２０が実行すべきプログラムや、システムコントローラ２０が処理実行時に利用すべき各種設定情報などが記憶されている。
ＲＡＭ１９は、システムコントローラ２０のための作業領域として機能し、システムコントローラ２０が処理を実行する際に発生するデータなどが一時保持さされる。
【００２９】
表示部１６は、例えばＬＣＤ（Ｌｉｑｕｉｄ　Ｃｒｙｓｔａｌ　Ｄｉｓｐｌａｙ）や蛍光表示管などのディスプレイデバイスと、表示ドライバなどを備えて構成されるもので、システムコントローラ２０の制御によって所要の表示が行われる。
操作部１７は、例えば当該据え置き型ＭＰ３プレイヤ１の筐体に表出して設けられる各種操作子からなる。この操作部１７では、操作子に対して行われた操作に応じた操作情報信号をシステムコントローラ２０に出力する。システムコントローラ２０は、入力された操作情報信号に応じた機器の動作が得られるように、適宜所要の制御処理を実行する。また、ここでは図示していないが、リモートコントローラを別体として備え、このリモートコントローラに対する操作に応じて送信されてくるコマンド信号をシステムコントローラ２０が受信入力する構成を採るようにしても良い。
【００３０】
上記構成による本実施の形態の据え置き型ＭＰ３プレイヤ１では、ＭＰ３ファイルが記録されたディスク３０を再生する場合には、基本的に、次のような動作を実行する。
ここで、図２（ａ）に示すようにして、ディスク３０に記録されているＭＰ３ファイルとして、Ｆｉｌｅ１，２，３，４の４つのファイルが記録されているとする。また、各ＭＰ３ファイルのビットレートは、
Ｆｉｌｅ１：３２０Ｋｂｐｓ
Ｆｉｌｅ２：６４Ｋｂｐｓ
Ｆｉｌｅ３：１２８Ｋｂｐｓ
Ｆｉｌｅ４：２４０Ｋｂｐｓ
であるとする。
【００３１】
ここで、本実施の形態の据え置き型ＭＰ３プレイヤ１としては、ビットレート指定範囲を設定しているものとされ、このビットレート指定範囲がＭＰ３ファイルについての許可／禁止条件となっている。つまり、このビットレート指定範囲内のビットレートのＭＰ３ファイルのみについて再生許可が設定され、ビットレート指定範囲外となるビットレートのＭＰ３ファイルは、再生禁止が設定されることになっている。
そしてこの場合には、例として、ビットレート指定範囲は、「１２８Ｋｂｐｓ以上」であるとする。つまり、ビットレートが１２８Ｋｂｐｓ以上のＭＰ３ファイルのみが再生許可となり、ビットレートが１２８Ｋｂｐｓ未満のＭＰ３ファイルは、再生禁止として設定されることになる。
【００３２】
そして、図２（ａ）に示す場合においては、ビットレートが１２８Ｋｂｐｓ以上のＭＰ３ファイルは、Ｆｉｌｅ１〜４のうち、Ｆｉｌｅ１，３，４であり、ビットレートが１２８Ｋｂｐｓ未満となるのは、残るＦｉｌｅ３である。
従ってこの場合には、図２（ｂ）に示すようにして、Ｆｉｌｅ１，３，４について再生許可が設定され、Ｆｉｌｅ２については再生禁止が設定される。そして、実際に、この図２（ａ）に示すディスク３０を再生した場合には、Ｆｉｌｅ１，３，４を再生することはできるが、Ｆｉｌｅ２を再生することはできない。
【００３３】
このようにして、本実施の形態の据え置き型ＭＰ３プレイヤ１では、再生対象のディスクに記録されているＭＰ３ファイルのビットレートに基づいて、ビットレート指定範囲内のビットレートのＭＰ３ファイルのみを再生出力可能となるように制御するものである。
そして、この場合には、例えばビットレート指定範囲を１２８Ｋｂｐｓ以上であるとしている。このようにすることで、音質重視である据え置き型ＭＰ３プレイヤ１によっては、或る一定水準以上の音質で再生出力されることが保証されるＭＰ３ファイルが自動的に選択され、この選択されたファイルのみが再生出力可能となるものである。
【００３４】
このようにすれば、再生装置の性能、仕様と、このような特質に応じて適切とされるビットレートのファイルのみが自動的に選択され、逆に、これに適合していないファイルは再生対象から自動的に排除されることになる。つまり、再生装置の性能、仕様に適合したＭＰ３ファイルの再生が自動的に効率よく行われるものである。
また、ユーザとしては、ディスクに記録されているＭＰ３ファイルのビットレートを確認して、ファイルの選択を行うような作業を行わなくとも、据え置き型ＭＰ３プレイヤ１に適合するような高音質とされるファイルのみを選択的に再生出力させることが可能となるものである。
【００３５】
特に、本実施の形態の据え置き型ＭＰ３プレイヤ１は、チェンジャー方式を採っており、ストッカー２１に多数枚のディスクを格納しておくことができる。つまり、本実施の形態の据え置き型ＭＰ３プレイヤ１は、ストッカー２１に格納されている全てのディスクのＭＰ３ファイルを再生可能であるということがいえるが、この場合のＭＰ３ファイルは相当に多数となる。
そこで、本実施の形態のようにして、自動的に再生出力すべきＭＰ３ファイルが選択されるように構成して、ユーザの負担が軽減されることは、非常に有用となるものである。
【００３６】
続いては、上記図２に示した据え置き型ＭＰ３プレイヤ１の動作を実現するための構成について、図３のフローチャートを参照して説明を行っていくこととする。
この図３に示す処理は、ＲＯＭ５１に格納されているとされるプログラムに従って、システムコントローラ２０が実行する。
【００３７】
この場合、システムコントローラ２０は、先ずステップＳ１０１においてディスクが装填されたか否かについて判別する。ディスクが装填されたことが判別されるとステップＳ１０２の処理に進む。
【００３８】
ステップＳ１０２においては、装填されたディスクのＴＯＣ（Ｔａｂｌｅ　Ｏｆ　Ｃｏｎｔｅｎｔｓ）についての読み込みを行う。
なお、ここでは図示していないが、このＴＯＣの読み込みにより、ＣＤ−ＤＡフォーマットのディスクであると判別された場合には、以降の処理は実行せずに、必要に応じてＣＤ−ＤＡフォーマットのディスクに対応した処理を実行することになる。便宜上、図３には、装填されたディスクがＣＤ−ＲＯＭフォーマットに対応したものである場合に限定した場合の処理を示している。つまり、本実施の形態では、ディスクがＣＤ−ＲＯＭフォーマットである場合とは、ＭＰ３ファイルが記録されたディスクであるということになる。
また、この場合には、ディスクに記録されているファイルシステムについての読み込みも行うこととしている。以降においては、ファイルシステムを参照することで、ディスクに記録されているＭＰ３ファイルごとのアドレスなどを認識することができる。
【００３９】
続くステップＳ１０３においては、ディスクに記録されているＭＰ３ファイルのファイルナンバ（ファイル順）に対応する変数ｎについてｎ＝１と設定し、ステップＳ１０４に進む。
ステップＳ１０４では、ディスク上のファイル＃ｎのアドレスにアクセスして、数フレーム分の読み出しを行う。但し、この場合にはいわゆる無音再生（疑似再生）を行う。つまり、例えばＭＰ３デコーダからのデコードデータの出力は行わないことで、最終的にオーディオ出力端子１５からアナログオーディオ信号として出力されることがないようにする。これは、ステップＳ１０４によるデータ読み出しが、次のステップＳ１０５にて説明するように、ビットレートインデックスを参照（検出）することを目的としているものだからである。
【００４０】
ここで、ＭＰ３ファイルのフレーム構造を簡略に図５に示す。
ＭＰ３ファイルの１フレームは、可変長ではあるが一定の時間に対応している。そして、図示するようにして、フレームの先頭にはヘッダが配置され、これに続けて、ＣＲＣ（エラー検出符号）、サイド情報が配置される。メインデータの領域は、実の圧縮オーディオデータが格納される領域となる。そして、フレームの最後に付加データを格納する領域が配置される。
【００４１】
そして、ヘッダ内の詳しい構造についての説明は省略するが、現フレームのメインデータについてのビットレートを示す情報は、ビットレートインデックスとして、ヘッダ内の所定位置に格納されている。
【００４２】
従って、ステップＳ１０４により、ファイル＃ｎの数フレームが読み出されることによっては、例えばこれらのフレームデータがＭＰ３デコーダ１２にてデコードされる段階で、各フレームのヘッダに格納されていたビットレートインデックスが抽出されることになる。
そして、ステップＳ１０５では、システムコントローラ２０は、このようにして抽出されたビットレートインデックスを読み込んで、ビットレートインデックスが示すビットレートの値を参照する。
【００４３】
ＭＰＥＧフォーマットでは、ＭＰ３によるオーディオデータの圧縮は、固定による場合と可変による場合とがある。そこで先ず、上記ステップＳ１０５によりビットレートの値を参照した結果として、ステップＳ１０６において、ファイル＃ｎが、固定のビットレートであるか否かを先ず判別する。
ビットレートが固定であるとして、ステップＳ１０６において肯定結果が得られた場合には、ステップＳ１０７の処理に進み、ビットレートインデックスが示していた固定のビットレート値を、検出ビットレート値Ｂｔｒとして設定する。
【００４４】
これに対して、ビットレートが可変であるとして、ステップＳ１０６において否定結果が得られた場合には、ステップＳ１０８の処理に進む。
ステップＳ１０８においては、数フレーム分の読み出しによって得られた、いくつかのビットレートインデックスが示す可変のビットレート値についての平均値を算出する。
そして、次のステップＳ１０９において、この算出した平均値を検出ビットレート値Ｂｔｒとして設定する。
【００４５】
ステップＳ１１０においては、上記ステップＳ１０７又はステップＳ１０９にて設定された検出ビットレート値Ｂｔｒが、設定されているビットレート指定範囲内にあるか否かについて判別を行う。
そして、検出ビットレート値Ｂｔｒがビットレート指定範囲内であるとして肯定結果が得られた場合にはステップＳ１１１の処理に進み、ファイル＃ｎを再生許可トラックとして設定する。
これに対して、検出ビットレート値Ｂｔｒがビットレート指定範囲外であるとして否定結果が得られた場合にはステップＳ１１２の処理に進み、ファイル＃ｎを再生禁止トラックとして設定する。
なお、このステップＳ１１１，Ｓ１１２におけるファイル＃ｎについての再生許可／禁止の設定情報は、ＲＡＭ１９に保持される。
【００４６】
ステップＳ１１１，Ｓ１１２の処理を実行した後は、ステップＳ１１３において、ファイルナンバを示す変数ｎについて、最大数に至ったか否かが判別される。例えば図２の場合であれば、ディスク３０にはＦｉｌｅ１〜４の４つのＭＰ３ファイルが記録されていたから、変数ｎの最大数は４となる。
ここで、変数ｎが最大値に至っていないとして否定結果が得られたのであれば、ステップＳ１１４において変数ｎについてｎ＋１とインクリメントをした上で、ステップＳ１０４の処理に戻るようにされる。
このようにして、変数ｎが最大値となるまでステップＳ１０４〜Ｓ１１４の処理が繰り返されることで、最終的には、ディスクに記録されている全てのＭＰ３ファイルについてのビットレートの検出と、この検出結果に基づいた再生許可／禁止設定が行われることになる。
【００４７】
そして、ディスクに記録されている全ＭＰ３ファイルについての再生許可／禁止設定が完了したとして、ステップＳ１１３にて肯定結果が得られたのであれば、ステップＳ１１５に進む。
ステップＳ１１５においては、これまでの各ＭＰ３ファイルの再生許可／禁止設定結果を利用して、再生許可／禁止設定テーブルを作成する。この再生許可／禁止設定テーブルには、現在装填されているディスクに記録されている全てのＭＰ３ファイルごとの再生許可／禁止についての設定が示されている。そして、この再生許可／禁止設定テーブルをＲＡＭ１９に保持させておく。
なお、再生許可／禁止設定テーブルは、例えば現在装填されているディスクがイジェクトされるまで保持するようにされる。また、ステップＳ１１１，Ｓ１１２の処理によってＲＡＭ１９に保持されていた各ファイルごとの再生許可／禁止設定の情報は、再生許可／禁止設定テーブルがＲＡＭ１９に保持された段階で、破棄してしまえばよい。
【００４８】
そして以降において、例えば現在装填されているディスクを再生するための操作が行われた場合には、システムコントローラ２０は、現在ＲＡＭ１９に保持されている再生許可／禁止設定テーブルを参照して、再生許可が設定されているトラックのみを再生出力し、再生禁止が設定されているトラックについては再生出力しないように制御する。
例えば図２に示した場合を例に挙げれば、再生許可／禁止設定テーブルの内容としては、図２（ｂ）にて説明しように、Ｆｉｌｅ１，３，４について再生許可が設定され、Ｆｉｌｅ２について再生禁止が設定されていることになる。
そして、例えば通常のファイル再生順により再生出力するとした場合には、先ずＦｉｌｅ１を再生した後、Ｆｉｌｅ２の再生がスキップされ、次にＦｉｌｅ３，４が順次再生されることになる。
【００４９】
ところで、一般的に、据え置き型のディスクプレイヤにおいては、その表示部に対して現在装填されているディスクに記録されたファイル（トラック）を、例えばトラックナンバによって示すことが広く行われている。つまり、再生リストの表示である。
例えば、ディスクにトラック１〜４の４つのトラックが記録されているのであれば、再生リストとして、所要の表示態様によって、トラック１，２，３，４を表示する。これにより、ユーザは、現在装填しているディスクに４つのトラックが記録されていることを、視覚的に認識するようにしている。
【００５０】
本実施の形態の据え置き型ＭＰ３プレイヤ１としても、上記と同様に、現在装填されているディスクに記録されているＭＰ３ファイルについての再生リストの表示を行うものとされている。
しかしながら、本実施の形態では、ディスクに記録されているＭＰ３ファイルについて再生許可／禁止の設定を行うようにしている。このため、ディスクに記録されているＭＰ３ファイルをそのまま全て再生リストとして表示部１６に表示すると、再生禁止が設定されて再生出力されることのないＭＰ３ファイルまでもが、表示されてしまうことになって、再生許可／禁止の設定内容と整合が取れなくなる。これは、ユーザをいたずらに混乱させる。
そこで、本実施の形態としては、現在装填されているディスクに記録されるＭＰ３ファイルについての再生リストを表示部１６に表示するのにあたっては、現在設定されている再生許可／禁止の設定状況に対応した内容による表示を行うものとする。
【００５１】
図４のフローチャートは、上記のようにして再生リストを表示させるために、システムコントローラ２０が実行すべき処理を示している。
先ず、システムコントローラ２０は、ステップＳ２０１において、表示部１６の表示モードとして、現在装填されているディスクに記録されているＭＰ３ファイルについての再生リストを表示すべきモードとなることを待機している。そして、再生リストを表示する表示モードとすべき動作状況となったのであれば、ステップＳ２０２の処理に進む。
ステップＳ２０２においては、現在ＲＡＭ１９に保持されている再生許可／禁止設定テーブルを参照する。そして、次のステップＳ２０３において、再生許可／禁止設定テーブルが示す再生許可のＭＰ３ファイルのみについて、再生リストとして表示する。なお、この際の再生リストの表示は、ディスク内で管理されるファイルナンバによるものでもよいし、或いは、各ＭＰ３ファイルに付加された楽曲名などのタイトル情報を文字により表示するものであってもよい。
【００５２】
また、本実施の形態において、再生許可／禁止の設定を行うのにあたっては、図２及び図３のステップＳ１１０において説明したように、予めビットレート指定範囲が設定されていることが必要である。
このビットレート指定範囲は、例えば本実施の形態の再生装置において、デフォルトとして設定されていても良い。つまり、図１に示した据え置き型ＭＰ３プレイヤ１であれば、メーカー側でユーザが満足すると想定できる高音質が得られる程度のビットレート範囲を決めて、この決定したビットレート範囲を、ビットレート指定範囲として、例えばＲＯＭ１９に固定的に記憶させておくものである。
【００５３】
しかしながら、本実施の形態としては、ユーザの好みなどにより柔軟に対応できるように、例えば下記のようにして、ビットレート指定範囲をユーザが任意に設定できるように構成している。
ユーザは、例えば操作部１７を操作して、ビットレート指定範囲を変更設定するモードに移行させる。このモードに移行すると、システムコントローラ２０は、例えば表示部１６などにビットレート指定範囲を可変設定するための画面を表示する。ユーザーは、この画面を見ながら、操作部１７を操作して、自分の好みや目的に応じたビットレート指定範囲を変更し、決定のための操作を行う。
この決定操作に応じて、システムコントローラ２０は、ビットレート指定範囲の設定情報を更新してＲＯＭ１８に書き込むようにされる。この場合、ＲＯＭ１８は、書き換え可能な不揮発性メモリや、フラッシュメモリなどにより構成するなどして、電源が供給されなくなっても記憶されたデータが消失しないようにされたうえで、書き換え可能であることが必要である。
【００５４】
ところで、上記第１の実施の形態の再生装置としては、据え置き型ＭＰ３プレイヤ１としている。そして、この据え置き型ＭＰ３プレイヤ１は、高音質再生が求められることから、高音質による再生出力を保証できる一定以上のビットレートをビットレート指定範囲として設定することとしていた。
本発明としては、ビットレート指定範囲は、機器の仕様及び機器に応じたユーザの使用目的に応じて設定されればよいので、上記第１の実施の形態のようにして、必ずしも一定以上のビットレートをビットレート指定範囲として設定する必要はない。
そこで、第１の実施の形態とは異なるビットレート指定範囲の設定と、この設定に基づいた動作例を、第２の実施の形態として説明することとする。この第２の実施の形態としては、再生装置が携帯型である場合を前提とする。
【００５５】
図６は、第２の実施の形態としての再生装置である、携帯型ＭＰ３プレイヤ４０の構成例を示している。
本実施の形態の携帯型ＭＰ３プレイヤ４０においては、先ず、メディアドライバ４１が設けられる。このメディアドライバ４１は、所定のリムーバブルなメディア６０を挿脱することが可能とされており、装填されたメディア６０に対応してデータの読み出しが可能な構成が採られている。
このメディアドライバ４１が対応するメディア６０としては、例えばＭＰ３ファイルの記録再生が可能であるかぎり、特に限定しないが、例えばフラッシュメモリなどを記録媒体としたメモリ媒体とすることが考えられる。また、例えば図１において示したようなＣＤ−ＲＯＭであってもよいし、或いは、データ記録が可能な光磁気ディスクなどとされてもよい。
【００５６】
メディアドライバ４１によりメディア６０から読み出されたＭＰ３ファイルのデータは、再生信号処理部４２にて所要の復調処理等が施され、メモリコントローラ４３に対して出力される。そして、メモリコントローラ４３の制御によりＲＡＭ４４に対して一時保持される。メモリコントローラ４３は、ＭＰ３デコーダ４５の処理状況を監視しながら、所要のタイミングで、ＲＡＭ４４に保持されているデータのうちから必要なデータをＭＰ３デコーダ４５に転送する。
【００５７】
ＭＰ３デコーダ４５は、ＲＡＭ４４から転送されてくるＭＰ３フォーマットにより圧縮されたオーディオデータについてデコード処理を施して、時系列的に連続したデジタルオーディオデータを得る。そして、このデジタルオーディオデータを、Ｄ／Ａコンバータ４６に対して出力する。
Ｄ／Ａコンバータ４６では、入力されたデジタルオーディオデータを例えばＬ／Ｒステレオのアナログオーディオ信号に変換してアンプ４７に出力する。
アンプ４７では、入力されたアナログオーディオ信号について増幅を行い、この場合には、ヘッドフォン端子４８に出力する。ユーザは、例えばこのヘッドフォン端子に対してステレオヘッドフォンのプラグを差し込めば、ヘッドフォンにより、ＭＰ３ファイルの再生出力を音声として聴くことができることになる。
【００５８】
システムコントローラ５０は、当該携帯型ＭＰ３プレイヤ４０全体についての制御を実行するもので、例えばＣＰＵなどを備えて構成される。また、図示するようにして、ＲＯＭ５１及びＲＡＭ５２を備える。
この場合にも、ＲＯＭ５１には、システムコントローラ５０が実行すべきプログラムや、システムコントローラ５０が処理実行時に利用すべき各種設定情報などが記憶されている。
ＲＡＭ５２は、システムコントローラ５０が処理を実行する際にデータを一時保持させる作業領域として機能する。
【００５９】
表示部４８は、例えばＬＣＤなどのディスプレイデバイスと、表示ドライバなどを備えて構成されるもので、システムコントローラ５０の制御によって所要の表示が行われる。
操作部４９は、例えば携帯型ＭＰ３プレイヤ４０の筐体に表出して設けられる各種操作子からなる。この操作部４９では、操作子に対して行われた操作に応じた操作情報信号をシステムコントローラ５０に出力する。システムコントローラ５０は、入力された操作情報信号に応じた機器の動作が得られるように、適宜所要の制御処理を実行する。また、ここでは図示していないが、例えば無線又は有線によるリモートコントローラを別体として備え、このリモートコントローラに対する操作に応じて送信されてくるコマンド信号をシステムコントローラ５０が受信入力する構成を採るようにしても良い。
【００６０】
また、この図６においては図示を省略しているが、メディアドライバ４１によってメディア６０にデータを記録可能な構成を採るようにしてもよい。そしてさらに、例えばＵＳＢやＩＥＥＥ１３９４などのデータインタフェイスを備えて外部とデータ送受信が可能な構成を採るようにする。
このような構成であれば、例えば上記したデータインターフェイスを介して、外部のＭＰ３ファイル再生装置やパーソナルコンピュータなどにて再生されたＭＰ３ファイルを受信入力し、メディア６０に記録することができる。
【００６１】
ここで、第１の実施の形態の再生装置として例示した据え置き型ＭＰ３プレイヤ１と、上記第２の実施の形態の再生装置として示した携帯型ＭＰ３プレイヤ４０とについて、その使用目的を比較してみると次のようなことがいえる。
つまり、据え置き型ＭＰ３プレイヤ１は、高音質重視の設計が採られており、この据え置き型ＭＰ３プレイヤ１により再生出力されるオーディオ音声としても高音質が求められるということがいえる。
また、携帯型ＭＰ３プレイヤ４０としては、ユーザが例えば屋外などでも気軽に音楽などを楽しむことが主目的となる。そして、据え置き型ＭＰ３プレイヤ１であれば、高音質なスピーカなどを備えたオーディオコンポーネントシステムにより聴くこともできるが、携帯型ＭＰ３プレイヤ４０では、例えば高音質が得られるスピーカなどと比べれば、再生音質に限界があるイヤドライバやヘッドフォンを使用して音楽を聴くことになる。従って、携帯型ＭＰ３プレイヤ４０は、据え置き型ＭＰ３プレイヤ１と比較すれば高音質再生は重視されないということがいえる。
【００６２】
さらに、据え置き型ＭＰ３プレイヤ１としては、一般には商用交流電源を入力して動作する構成を採るが、携帯型ＭＰ３プレイヤ４０は、バッテリにより駆動される構成を採る。従って、携帯型ＭＰ３プレイヤ４０としては、できるだけ長時間にわたってバッテリ駆動できるようにすることが求められる。つまり、消費電力ができるだけ少なくなるようにすることが求められるものである。
この観点からすると、例えば高音質再生を行うためには、それだけ、ＭＰ３デコーダにおける処理負担も重くなる場合があり、それだけ消費電力が増加することにもなってくる。つまり、携帯型ＭＰ３プレイヤ４０としては、高いビットレートのＭＰ３ファイルを再生出力することによっては、デコードのための処理負担が増加して消費電力も増加し、バッテリの持続時間を短くしてしまうデメリットが生じる可能性を有している。
【００６３】
このようにして、携帯型ＭＰ３プレイヤ４０に関すれば、過剰な高音質再生を行ってもユーザが感じる聴感上でのメリットが少ないということと、高音質再生による処理負担がバッテリ持続時間を短縮する可能性があるということがいえる。つまり、携帯型ＭＰ３プレイヤ４０によりＭＰ３ファイルを再生出力するのにあたっては、一定以上のビットレートのＭＰ３ファイルを再生出力することにあまり意味はなく、従って、一定以下のビットレートを再生出力するようにすることが好ましいということがいえる。
そこで、携帯型ＭＰ３プレイヤ４０を再生装置とする第２の実施の形態としては、ビットレート指定範囲を一定以下のビットレートとするものである。これにより、ビットレート指定範囲外となる一定以上のビットレートのＭＰ３ファイルについてのファイル再生は禁止されることになって、無駄な高音質のＭＰ３ファイルを再生することによる電力消費の増加をなくすことができる。
【００６４】
なお、このためにシステムコントローラ５０が実行すべき処理としては、図３に示したフローチャートに準ずればよいものとされる。但しこの場合には、ビットレート指定範囲について、例えば具体的には「１２８Ｋｂｐｓ以下」と設定するなど、一定以下のビットレートの値を設定することになる。また、この第２の実施の形態としても、ビットレート指定範囲については、ユーザ操作により変更設定できるように構成して良い。
【００６５】
また、第２の実施の形態としても、図３に示した処理に準じて、メディア６０に記録されているＭＰ３ファイルについての再生許可／禁止が設定された後は、表示部１６により表示される再生リストには、再生許可されたＭＰ３ファイルのみが提示されるようにシステムコントローラ２０が処理を実行することになる。
なお、このための処理としても、図４に示した処理に準ずればよい。
【００６６】
ところで、本実施の形態において、先に図３及び図４に示した処理を実現するためのプログラムは、据え置き型ＭＰ３プレイヤ１では、ＲＯＭ１８に予め記憶して格納しておくものである。また、携帯型ＭＰ３プレイヤ４０により、図３及び図４に準じた処理を実行させる場合であれば、そのためのプログラムが、ＲＯＭ５１に格納されるものである。
【００６７】
あるいは、プログラムは、フレキシブルディスク、ＣＤ−ＲＯＭ（Ｃｏｍｐａｃｔ　Ｄｉｓｃ　Ｒｅａｄ　Ｏｎｌｙ　Ｍｅｍｏｒｙ）、ＭＯ（Ｍａｇｎｅｔ　Ｏｐｔｉｃａｌ）ディスク、ＤＶＤ（Ｄｉｇｉｔａｌ　Ｖｅｒｓａｔｉｌｅ　Ｄｉｓｃ）、磁気ディスク、半導体メモリなどのリムーバブル記録媒体に、一時的あるいは永続的に格納（記録）しておくことができる。このようなリムーバブル記録媒体は、いわゆるパッケージソフトウェアとして提供することができる。
例えば、本実施の形態であれば、ディスク３０やメディア６０にプログラムを記録し、パッケージソフトウェアとして提供することができる。これにより、据え置き型ＭＰ３プレイヤ１では、ディスク３０を再生してプログラムを読み出し、ＲＯＭ１８に記憶させることでインストールできる。携帯型ＭＰ３プレイヤ４０でも、同様にして、メディアドライバ４１によりメディア６０に記録されたプログラムを読み出し、ＲＯＭ５１に記憶させることでインストールが可能となる。
また、例えばＭＰ３ファイルなどのような圧縮オーディオデータを処理可能なアプリケーションをインストールするためのプログラムについて、例えば図３及び図４に準じた処理を実行可能なプログラムを含めた上で、各種記録媒体に記憶させておけば、本実施の形態としての動作を、汎用のパーソナルコンピュータなどにもインストールして実行させることが可能になる。
なお、プログラムは、上記のようなリムーバブルな記録媒体からインストールする他、プログラムを記憶しているサーバなどから、ＬＡＮ（Ｌｏｃａｌ　Ａｒｅａ　Ｎｅｔｗｏｒｋ）、インターネットなどのネットワークを介してダウンロードすることもできる。
【００６８】
また、本発明としては上記した各実施の形態の構成に限定されるものではない。例えば上記実施の形態においては、圧縮オーディオデータの形式として、ＭＰ３を例に挙げているが、現状及び将来的に規格化される圧縮オーディオデータ形式を対象としてもよいものである。具体例として、現状においては、ＭＰ３方式の他に、例えばＡＴＲＡＣ（Ａｄａｐｔｉｖｅ　Ｔｒａｎｓｆｏｒｍ　Ａｃｏｕｓｔｉｃ　Ｃｏｄｉｎｇ）方式が知られているが、このＡＴＲＡＣ方式も現在は数種類のビットレートが規定されている。従って、ＡＴＲＡＣ方式による圧縮オーディオデータを本発明に適用することも可能である。
また、本実施の形態では、再生出力の制限対象となるデータについて、圧縮オーディオデータとしているが、本発明としてはこれに限定されるものではなく、例えば圧縮ビデオデータを対象とした構成についても適用可能である。
【００６９】
【発明の効果】
以上説明したように本発明は、記憶媒体に記憶されている、ビットレートの異なる複数のデータについて、そのビットレートを検出するようにされる。そして、その検出結果に基づいて、記憶媒体に記憶される各データについての再生許可／禁止を設定するように構成される。つまり、記憶媒体に記憶されるデータのうちから、再生制限すべきデータを決定するようにしているものである。
このような構成であれば、再生装置の性能、仕様などに適合して再生出力すべきとされるビットレートのデータが選別されることになるから、再生装置の性能等に適合したデータの再生出力が自動的に行われるということになる。つまり、再生装置についての、より効率的な動作が簡便に得られることになるものである。
また、本発明としては、再生装置の機能等に応じたユーザの視聴目的に応じたビットレートのデータのみを再生出力させるようにするという選別動作が、自動的に行われることになる。
これにより、ユーザにとっては、例えば記憶媒体に記憶されている各データのビットレートを確認して、再生出力させるべきデータと、再生出力させるべきでないデータとを選別して設定するような面倒な操作、作業を行わなくとも、自分が望むビットレートのデータのみが再生出力されることになる。つまり、ある目的に従って、所要のビットレートのデータのみを再生出力させる際の利便性が向上されることにもなる。
【図面の簡単な説明】
【図１】本発明の第１の実施の形態としての据え置き型ＭＰ３プレイヤの構成例を示すブロック図である。
【図２】本実施の形態におけるＭＰ３ファイルの再生許可／禁止設定動作を模式的に示す説明図である。
【図３】本実施の形態におけるＭＰ３ファイルの再生許可／禁止設定動作を実現するための処理動作を示すフローチャートである。
【図４】ＭＰ３ファイルの再生許可／禁止設定結果に応じた再生リスト表示のための処理動作を示すフローチャートである。
【図５】ＭＰ３ファイルの１フレーム分のデータ構造を示す説明図である。
【図６】第２の実施の形態としての携帯型ＭＰ３プレイヤの構成例を示すブロック図である。
【符号の説明】
１　据え置き型ＭＰ３プレイヤ、３　光学ヘッド、１２　ＭＰ３デコーダ、２０　システムコントローラ、１６　表示部、１８　ＲＯＭ、２１　ストッカー、４１　メディアドライバ、４５　ＭＰ３デコーダ、６０　メディア
【図１】
2004014059.tif 000003
【図２】
2004014059.tif 000004
【図３】
2004014059.tif 000005
【図４】
2004014059.tif 000006
【図５】
2004014059.tif 000007
【図６】
2004014059.tif 000008